(57)【要約】【課題】孔版印刷装置において、機密情報の適切に保護しつつユーザの利便性を確保する。【解決手段】ユーザからの機密設定指示、印刷指示、認証情報の入力等を受け付けるパネル部１００と、第１の印刷ドラム４５に対する機密設定指示を受け付け、その指示を受け付けたときに第１の印刷ドラム４５に巻装されている製版済み孔版原紙を用いた印刷を禁止する機密モードを設定するとともに、その指示を出したユーザの認証情報を第１のメモリ４５に記録させる機密モード設定部９０と、第１の印刷ドラム４５に機密モードが設定されているときに、パネル部１００により第１の印刷ドラム４５による印刷指示を受け付けると、その指示を出したユーザの認証情報を第１のメモリ４５に記録されている認証情報と比較して、両認証情報が一致していれば第１の印刷ドラム４５による印刷を許可する印刷制御部９２とを備える。【選択図】図５
2013010187.tif 000002
【特許請求の範囲】
【請求項１】
印刷ドラムを備え、該印刷ドラムに製版済み孔版原紙を巻装して印刷を行う孔版印刷装置において、
ユーザからの指示に応じて前記印刷ドラムに巻装されている製版済み孔版原紙を用いた印刷を禁止する機密モードを設定する機密モード設定部と、
前記機密モード設定部で機密モードを設定したユーザの認証情報を記録する記録媒体と、
ユーザからの印刷指示を受け付ける印刷指示受付部と、
ユーザからの認証情報の入力を受け付ける認証情報入力受付部と、
前記機密モードが設定されているときに、前記印刷指示受付部により前記印刷が禁止されている製版済み孔版原紙が巻装されている印刷ドラムによる印刷指示を受け付けると、前記認証情報入力受付部により受け付けた前記印刷指示を出したユーザの認証情報を前記記録媒体に記録されている認証情報と比較して、両認証情報が一致していれば前記印刷が禁止されている製版済み孔版原紙が巻装されている印刷ドラムによる印刷を許可する印刷許可部と
を備えたことを特徴とする孔版印刷装置。
【発明の詳細な説明】
【技術分野】
【０００１】
本発明は、印刷ドラムを備え、その印刷ドラムに製版済み孔版原紙を巻装して印刷を行う孔版印刷装置に関するものである。
【背景技術】
【０００２】
従来、製版済孔版原紙が外周面に巻着されて回転する印刷ドラムと、この印刷ドラムに圧接されて回転するプレスローラとの間に印刷用紙を挿入し、印刷ドラム内のインクを製版済孔版原紙における孔から押し出し、インクを印刷用紙に転写させて印刷を行う孔版印刷装置が提案されている。
【０００３】
上記孔版印刷装置においては、印刷したい文書のデータに基づいて穿孔した製版済孔版原紙を作成して印刷処理を行うため、印刷後、製版済孔版原紙が装置の中に残ることになる。そこで、特許文献１では、機密情報を有する文書などを印刷した場合にその機密情報を悪意のある第三者から守るため、機密保持モードを設け、このモードの設定時において、機密情報が製版された孔版原紙を廃棄するとともに新しい未製版の孔版原紙を版胴に巻装しておくようにした孔版印刷装置が提案されている。
【０００４】
また、特許文献２では、機密保持モードが設定されると、次に製版の指示が出され、孔版原紙の取り替えが行われるまで、製版済孔版原紙が巻装されたドラムの取り出しを制限し、かつ、印刷処理の実行を禁止するようにした孔版印刷装置が提案されている。
【先行技術文献】
【特許文献】
【０００５】
【特許文献１】特開昭５９−１９８１８５号公報
【特許文献２】特許第３５６６３６７号公報
【発明の概要】
【発明が解決しようとする課題】
【０００６】
しかしながら、上記従来の孔版印刷装置では、一旦機密保持モードが設定されると、次の印刷が開始する前に必ず孔版原紙の取り替えが行われるようにしているため、第三者による機密情報の刷り増しを効果的に制限することができるというメリットがある一方、その機密情報に関し権限を有するユーザによる刷り増しも同様に制限されてしまうため、ユーザの使い勝手が悪くなってしまうというデメリットがある。
【０００７】
本発明は、上記事情に鑑み、機密情報を適切に保護しつつユーザの利便性を確保することができる孔版印刷装置を提供することを目的とするものである。
【課題を解決するための手段】
【０００８】
本発明の孔版印刷装置は、印刷ドラムを備え、該印刷ドラムに製版済み孔版原紙を巻装して印刷を行う孔版印刷装置において、ユーザからの指示に応じて印刷ドラムに巻装されている製版済み孔版原紙を用いた印刷を禁止する機密モードを設定する機密モード設定部と、機密モード設定部で機密モードを設定したユーザの認証情報を記録する記録媒体と、ユーザからの印刷指示を受け付ける印刷指示受付部と、ユーザからの認証情報の入力を受け付ける認証情報入力受付部と、機密モードが設定されているときに、印刷指示受付部により印刷が禁止されている製版済み孔版原紙が巻装されている印刷ドラムによる印刷指示を受け付けると、認証情報入力受付部により受け付けた印刷指示を出したユーザの認証情報を記録媒体に記録されている認証情報と比較して、両認証情報が一致していれば印刷が禁止されている製版済み孔版原紙が巻装されている印刷ドラムによる印刷を許可する印刷許可部とを備えたことを特徴とする。
【０００９】
ここで、記録媒体は、孔版印刷装置の本体に直接設けられたものであってもよいし、印刷ドラムが孔版印刷装置の本体から抜き出したり、挿入したりすることができるものである場合にその印刷ドラムに一体的に設けられたものであってもよい。
【００１０】
上記孔版印刷装置は、複数の印刷ドラムを備え、該複数の印刷ドラムの一部または全部により前記印刷を行う孔版印刷装置であって、機密モード設定部への前記機密モード設定が、複数の印刷ドラムのうちのどの印刷ドラムに巻装されている製版済み孔版原紙を用いた印刷を禁止するものであるかを特定してなされたものであり、印刷許可部が、機密モード設定部により機密モードが設定されているときに、前記特定された印刷ドラムによる印刷指示を受け付けると、認証情報入力受付部により受け付けた印刷指示を出したユーザの認証情報を記録媒体に前記特定された印刷ドラムに対応させて記録されている認証情報と比較して、両認証情報が一致していれば前記特定された印刷ドラムによる印刷を許可するものであってもよい。
【００１１】
このとき、記録媒体が複数の印刷ドラムのそれぞれに一体的に設けられた不揮発性メモリであり、機密モード設定部が、機密モードの設定指示を受け付けると、機密モードを設定したユーザの認証情報を前記特定された印刷ドラムに一体的に設けられている記録媒体に記録させるものであり、印刷許可部が、機密モード設定部により機密モードが設定されているときに、印刷指示受付部により前記特定された印刷ドラムによる印刷指示を受け付けると、認証情報入力受付部により受け付けた印刷指示を出したユーザの認証情報を前記特定された印刷ドラムに一体的に設けられている記録媒体に記録されている認証情報と比較して、両認証情報が一致していれば前記特定された印刷ドラムによる印刷を許可するものであってもよい。
【００１２】
また、上記孔版印刷装置は、ユーザからの機密解除指示を受け付ける機密解除指示受付部をさらに備え、機密モード設定部が、機密モードが設定されているときに、機密解除指示受付部により機密解除指示を受け付けると、認証情報入力受付部により受け付けた機密解除指示を出したユーザの認証情報を記録媒体に記録されている認証情報と比較して、両認証情報が一致していれば機密モードの設定を解除するとともに、記録媒体に記録されている認証情報を削除するものであってもよい。
【発明の効果】
【００１３】
本発明の孔版印刷装置によれば、印刷ドラムを備え、該印刷ドラムに製版済み孔版原紙を巻装して印刷を行う孔版印刷装置において、ユーザからの指示に応じて印刷ドラムに巻装されている製版済み孔版原紙を用いた印刷を禁止する機密モードを設定する機密モード設定部と、機密モード設定部で機密モードを設定したユーザの認証情報を記録する記録媒体と、ユーザからの印刷指示を受け付ける印刷指示受付部と、ユーザからの認証情報の入力を受け付ける認証情報入力受付部と、機密モードが設定されているときに、印刷指示受付部により印刷が禁止されている製版済み孔版原紙が巻装されている印刷ドラムによる印刷指示を受け付けると、認証情報入力受付部により受け付けた印刷指示を出したユーザの認証情報を記録媒体に記録されている認証情報と比較して、両認証情報が一致していれば印刷が禁止されている製版済み孔版原紙が巻装されている印刷ドラムによる印刷を許可する印刷許可部とを備えているので、製版済み孔版原紙に対して機密モードが設定された後であっても、その製版済み孔版原紙の処分に権限を有するユーザであればその製版済み孔版原紙を用いて再度印刷を行うことが可能であり、機密情報を適切に保護しつつ、一旦機密保持モードが設定されるとその孔版原紙による再印刷はできなくなってしまう上記従来の孔版印刷装置に比べて、ユーザの利便性を向上させることができる。
【００１４】
このとき、記録媒体が、印刷ドラムに一体的に設けられた不揮発性メモリである場合、機密モードが設定された印刷ドラムを孔版印刷装置の本体から抜き出し、別の孔版印刷装置の本体に挿入した場合であっても、その記録媒体に記録されている認証情報に基づいて、その印刷ドラムに巻装されている製版済み孔版原紙を用いた印刷を引き続き禁止することができ、機密情報を適切に保護することができる。また、機密モードが設定された印刷ドラムを機密モードが設定されていない他の印刷ドラムに取り換え、その孔版印刷装置により印刷を行うことができ、ユーザの利便性を向上させることができる。
【００１５】
また、上記孔版印刷装置が、複数の印刷ドラムを備え、該複数の印刷ドラムの一部または全部により前記印刷を行う孔版印刷装置であって、機密モード設定部への前記機密モード設定が、複数の印刷ドラムのうちのどの印刷ドラムに巻装されている製版済み孔版原紙を用いた印刷を禁止するものであるかを特定してなされたものであり、印刷許可部が、機密モード設定部により機密モードが設定されているときに、前記特定された印刷ドラムによる印刷指示を受け付けると、認証情報入力受付部により受け付けた印刷指示を出したユーザの認証情報を記録媒体に前記特定された印刷ドラムに対応させて記録されている認証情報と比較して、両認証情報が一致していれば前記特定された印刷ドラムによる印刷を許可するものである場合には、一部の印刷ドラムに対して機密モードが設定され、その印刷ドラムに巻装されている製版済み孔版原紙を用いた印刷が禁止されている場合であっても、他の印刷ドラムにより印刷を実行させることができ、ユーザの利便性を向上させることができる。
【００１６】
このとき、記録媒体が複数の印刷ドラムのそれぞれに一体的に設けられた不揮発性メモリであり、機密モード設定部が、機密モードの設定指示を受け付けると、機密モードを設定したユーザの認証情報を前記特定された印刷ドラムに一体的に設けられている記録媒体に記録させるものであり、印刷許可部が、機密モード設定部により機密モードが設定されているときに、印刷指示受付部により前記特定された印刷ドラムによる印刷指示を受け付けると、認証情報入力受付部により受け付けた印刷指示を出したユーザの認証情報を前記特定された印刷ドラムに一体的に設けられている記録媒体に記録されている認証情報と比較して、両認証情報が一致していれば前記特定された印刷ドラムによる印刷を許可するものである場合、機密モードが設定された印刷ドラムを孔版印刷装置の本体から抜き出し、別の孔版印刷装置の本体に挿入した場合であっても、その記録媒体に記録されている認証情報に基づいて、その印刷ドラムに巻装されている製版済み孔版原紙を用いた印刷を引き続き禁止することができ、機密情報を適切に保護することができる。また、機密モードが設定された印刷ドラムを機密モードが設定されていない他の印刷ドラムに取り換え、その孔版印刷装置により印刷を行うことができ、ユーザの利便性を向上させることができる。
【００１７】
また、上記孔版印刷装置が、ユーザからの機密解除指示を受け付ける機密解除指示受付部をさらに備え、機密モード設定部が、機密モードが設定されているときに、機密解除指示受付部により機密解除指示を受け付けると、認証情報入力受付部により受け付けた機密解除指示を出したユーザの認証情報を記録媒体に記録されている認証情報と比較して、両認証情報が一致していれば機密モードの設定を解除するとともに、記録媒体に記録されている認証情報を削除するものである場合、たとえば製版済み孔版原紙が機密情報を有するものと認められ、機密モードを設定してその利用を制限していたが、その後、当該情報が機密情報ではなくなった場合等に、機密モードの設定により印刷を禁止させた製版済み孔版原紙が巻装されている印刷ドラムによる印刷を第三者に対しても許可することができ、ユーザの利便性を向上させることができる。
【図面の簡単な説明】
【００１８】
【図１】本発明の孔版印刷装置の一実施形態の全体概略構成図
【図２】本発明の孔版印刷装置の一実施形態の概略構成を示すブロック図
【図３】本発明の孔版印刷装置の一実施形態の制御部の構成を示す図
【図４】機密モード設定部による機密解除処理を説明するためのフローチャート
【図５】印刷制御部による処理の流れを説明するためのフローチャート
【発明を実施するための形態】
【００１９】
以下、図面を参照しながら本発明の孔版印刷装置の一実施形態について説明する。図１は本孔版印刷装置の概略構成図である。
【００２０】
本実施形態の孔版印刷装置１は、１色刷りと２色刷りとを選択的に行うことができる孔版印刷装置であって、図１に示すように、原稿の画像を読み取って画像データを出力する画像読取部１０、画像読取部１０で読み取られた画像データに基づいて孔版原紙Ｍに製版処理を施す第１および第２の製版部３０，３５、第１および第２の製版部３０，３５において製版された孔版原紙Ｍを用いて印刷用紙Ｐに印刷を施す第１および第２の印刷部４０，５０、第１の印刷部４０に印刷用紙Ｐを給紙する給紙部２０、第１の印刷部４０から排出された印刷用紙Ｐを第２の印刷部５０に向けて搬送する搬送ベルト部４４と、印刷済みの印刷用紙が排出される排紙部７０と、使用済孔版原紙Ｍ’が送り込まれる排版部８０とを備えている。
【００２１】
画像読取部１０は、原稿の画像情報を光電的に読み取るラインイメージセンサを有し、ラインイメージセンサで原稿を走査することによって原稿を読み取り、画像データを出力するものである。
【００２２】
第１の製版部３０は、複数個の発熱体が一列に配列されてなるサーマルヘッド３１を有し、孔版原紙ロールから繰り出された孔版原紙Ｍに対し、サーマルヘッド３１を用いて製版処理を行うものである。第２の製版部３５も、第１の製版部３０と同様に、サーマルヘッド３６を有し、孔版原紙ロールから繰り出された孔版原紙Ｍに対し、サーマルヘッド３６を用いて製版処理を行うものである。
【００２３】
第１の印刷部４０は、多孔金属板、メッシュ構造体などのインク通過性の円筒状の第１の印刷ドラム４１と、印刷用紙Ｐを所定のプレス圧で第１の印刷ドラム４１に圧接させる第１のプレスローラ４２と、第１の印刷ドラム４１から印刷済みの印刷用紙Ｐを剥ぎ取る第１の剥取爪４３とを備えている。第１の印刷ドラム４１の外周には第１の製版部３０において穿孔された製版済孔版原紙Ｍが巻き付けられて装着されるようになっている。
【００２４】
第２の印刷部５０は、第１の印刷部４０と同様に、円筒状の第２の印刷ドラム５１と、印刷用紙Ｐを所定のプレス圧で第２の印刷ドラム５１に圧接させる第２のプレスローラ５２と、第２の印刷ドラム５１から印刷済みの印刷用紙Ｐを剥ぎ取る第２の剥取爪５３とを備えている。第２の印刷ドラム５１の外周には第２の製版部３５において穿孔された製版済孔版原紙Ｍが巻き付けられて装着されるようになっている。
【００２５】
給紙部２０は、印刷用紙Ｐが載置される給紙台２１と、給紙台２１より印刷用紙Ｐを一枚ずつ取り出して２次給紙ローラ２３に向けて送り出す１次給紙ローラ２２と、１次給紙ローラ２２の搬送方向下流側に配置され、１次給紙ローラ２２により搬送された印刷用紙Ｐの先端を一旦停止させ、所定のタイミングで印刷用紙Ｐを第１の印刷ドラム４１と第１のプレスローラ４２との間に送り出す２次給紙ローラ２３とを備えている。
【００２６】
排紙部７０は、印刷済みの印刷用紙Ｐを排紙台７１まで搬送する排紙送りベルト部７２と、排紙送りベルト部７２により搬送された印刷済みの印刷用紙Ｐが積載される排紙台７１とを備えている。
【００２７】
排版部８０は、第１および第２の印刷部４０，５０から引き剥がされた使用済孔版原紙Ｍ’が送り込まれる排版ボックス８１と、第１および第２の印刷部４０，５０から使用済孔版原紙Ｍ’を引き剥がして排版ボックス８１内へ送り込む排版ローラ８２とを備えている。
【００２８】
また、図２に示すように、上述した各部は、制御部９０に接続されており、制御部９０が各部の制御を行なう。また、図１においては図示省略したが、本孔版印刷装置１には、図２に示すようにパネル部１００が設けられている。パネル部１００は、液晶タッチパネル等であって、孔版印刷装置１の動作状態や、各種設定状態、および選択・指定できる機能等を表示する表示部と、ユーザによる機密設定指示、機密解除指示、印刷指示などの各種指示を受け付けるとともに、ユーザからの認証情報の入力等を受け付ける入力部として機能するものである。なお、このパネル部１００が本発明の機密解除指示受付部、印刷指示受付部および認証情報入力受付部に相当する。
【００２９】
ここで、孔版印刷装置１は、第１および第２の印刷ドラム４１、５１いずれか一方または両方を選択的に用いて印刷等の処理を行う機能を有しており、ユーザは、パネル部１００において、第１および第２の印刷ドラム４１、５２のいずれか一方または両方を選択して機密設定指示、機密解除指示、印刷指示などの各種指示を入力することができる。たとえば、第１の印刷ドラム４１に対してのみ機密設定指示を入力したり、第１および第２の印刷ドラム４１，５１の両方に機密設定がなされている場合に、第２の印刷ドラム５１に対してのみ機密解除指示を入力したり、第２の印刷ドラム５１のみを用いた印刷指示を入力したりすることができる。
【００３０】
なお、孔版印刷装置１において、第１の印刷ドラム４１のみを用いて印刷を行う場合には（１色刷り）、印刷用紙Ｐは、まず第１の印刷部４０によって印刷が行われ、その後印刷用紙Ｐは一旦第２の印刷部５０へ搬送されるが、第２の印刷部５０ではさらに印刷が行われることなくそのまま排紙部７０へ搬送され、排出される。同様に、第２の印刷ドラム５１のみを用いて印刷を行う場合には、印刷用紙Ｐは、まず第１の印刷部４０に給紙されるが、第１の印刷部４０では印刷が行われることなくそのまま第２の印刷部５０へ搬送され、第２の印刷部５０によって始めて印刷が行われ、排出される。一方、第１および第２の印刷ドラムの４１、５１の両方を用いて印刷を行う場合には（２色刷り）、第１の印刷部４０によって１色目の印刷がなされた印刷用紙Ｐに対して、第２の印刷部５０によって２色目の印刷がさらに行われる。
【００３１】
そして、孔版印刷装置１の制御部９０には、図３に示すように、第１および第２の印刷ドラム４１、５１のいずれか一方または両方に機密モードを設定する機密モード設定部９１と、第１および第２の印刷部４０、５０いずれか一方または両方による印刷を制御する印刷制御部９２とを備えている。また、図１においては図示省略したが、第１および第２の印刷ドラム４１、５１には、図３に示すように、それぞれの印刷ドラムに対応して第１のメモリ４５と第２のメモリ５５が設けられている。第１および第２のメモリ４５、５５は不揮発性メモリであり、後述するように、その印刷ドラムに対する機密設定指示を受け付けたときに、機密設定指示を出したユーザの認証情報が記録されることとなる。また、第１および第２のメモリ４５、５５は各対応する印刷ドラムに一体的に設けられているので、印刷ドラムを装置本体から抜き出したり、挿入したりするときに、その印刷ドラムと共に装置本体から抜き出されたり、挿入されたりすることとなる。
【００３２】
機密モード設定部９１は、パネル部１００によりユーザからの機密設定指示を受け付けた場合に、その機密設定指示において選択された第１および第２の印刷ドラム４１、５１いずれか一方または両方に対して、その機密設定指示を受け付けたときに印刷ドラムに巻装されている製版済み孔版原紙を用いた印刷を禁止する機密モードを設定するとともに、その機密設定指示を出したユーザの認証情報をその印刷ドラムに設けられているメモリに記録させるものである。
【００３３】
ここで、ユーザの認証情報は、ユーザ個々人に対応したものであってもよいし、所定のユーザグループに対応したものであってもよい。少なくとも特定のユーザまたはユーザグループを他のユーザまたはユーザグループと区別することが可能な情報であれば足りる。
【００３４】
また、機密設定指示を出したユーザの認証情報は、ユーザからの機密設定指示を受け付けるときに、パネル部１００に認証情報を入力可能な画面を表示し、その画面においてユーザからの認証情報の入力を受け付けて取得することができる。なお、ユーザからの機密設定指示を受け付ける前に、装置を操作するユーザを特定する情報としてユーザの認証情報が取得されており、その情報が機密設定指示の操作を行うユーザを特定し得る情報と認められる場合には、その情報をそのまま機密設定指示を出したユーザの認証情報として取得してもよい。また、ここでは、ユーザの認証情報をパネル部１００に表示された画面に対するユーザの入力に基づいて取得する場合について例示しているが、例えば装置本体にカードリーダーを備え、そのカードリーダーによりユーザが所持するＩＤカードからユーザの認証情報が読み取られることでユーザの認証情報を取得するようにしてもよい。
【００３５】
また、機密モード設定部９１は、上述の処理によって機密モードが設定されているときに、ユーザからのその設定された機密モードを解除することを指示する機密解除指示を受け付けた場合に、パネル部１００により受け付けた機密解除指示を出したユーザの認証情報をその印刷ドラムに設けられているメモリに記録されている認証情報と比較して、両認証情報が一致していれば機密モードの設定を解除するとともに、その印刷ドラムに設けられているメモリに記録されている認証情報を削除する機能を有する。
【００３６】
ここで、機密解除指示を出したユーザの認証情報も、上記機密設定指示を出したユーザの認証情報を取得する場合と同様に、ユーザからの機密解除指示を受け付けるときに、パネル部１００に認証情報を入力可能な画面を表示し、その画面においてユーザからの認証情報の入力を受け付ける等の方法によって取得することができる。
【００３７】
また、機密モード設定部９１は、両認証情報が一致したか否かに関らず、機密解除指示を出したユーザがその孔版印刷装置の管理者であるときに、すなわち、機密解除指示を出したユーザの認証情報が予め登録され、記憶されている管理者の認証情報であるときにも、その印刷ドラムに設けられているメモリに記録されている認証情報を削除するものであってもよい。
【００３８】
ここで、機密モード設定部９１による機密解除処理について、図４に示すフローチャートを用いて説明する。たとえば、第１および第２の印刷ドラム４１，５１のいずれか一方(特定の印刷ドラム）に巻装されている製版済み孔版原紙を用いた印刷を禁止する機密モードが設定されているときに、パネル部１００により機密解除指示を受け付けると（Ｓ１０）、パネル部１００に認証情報を入力可能な画面が表示され、その画面においてユーザからの認証情報の入力を受け付けることにより、機密解除指示を出したユーザの認証情報が取得される。そして、印刷制御部９２により、その受け付けたユーザの認証情報と上記特定の印刷ドラムに設けられているメモリに記録されている認証情報とが比較され、両認証情報が一致するか否かが判断される（Ｓ１１）。そこで、印刷制御部９２が両認証情報が一致すると判断した場合には、機密モード設定部９１により機密モードの設定が解除されるとともに、上記特定の印刷ドラムに設けられているメモリに記録されている認証情報が削除される（Ｓ１２）。一方、印刷制御部９２が両認証情報が一致しないと判断した場合には、印刷制御部９２により上記パネル部１００により受け付けたユーザの認証情報と、予め登録されかつ記憶されている管理者の認証情報とがさらに比較され、両認証情報が一致するか否かがが判断される（Ｓ１３）。そこで、印刷制御部９２が両認証情報が一致すると判断した場合には、機密モード設定部９１により機密モードの設定が解除されるとともに、上記特定の印刷ドラムに設けられているメモリに記録されている認証情報が削除される（Ｓ１２）。一方、印刷制御部９２により両認証情報が一致しないと判断された場合には、そのまま機密モードが維持され（Ｓ１４）、処理が終了する。
【００３９】
印刷制御部９２は、上記機密モード設定部９１により機密モードが設定されているときに、その印刷が禁止されている製版済み孔版原紙が巻装されている印刷ドラムによる印刷指示を受け付けた場合に、パネル部１００により受け付けた印刷指示を出したユーザの認証情報をその印刷ドラムに設けられているメモリに記録されている認証情報と比較して、両認証情報が一致していれば印刷が禁止されている製版済み孔版原紙が巻装されている印刷ドラムによる印刷を許可し、一致しない場合には、そのまま禁止のままとするものである。なお、この印刷制御部９２が本発明の印刷許可部に相当する。
【００４０】
ここで、印刷制御部９２による処理の流れについて、図５に示すフローチャートを用いて説明する。まず、パネル部１００により第１および第２の印刷ドラム４１、５１いずれか一方または両方による印刷指示を受け付けると（Ｓ２０）、その印刷の実行に用いられる印刷ドラムのいずれかに機密モードが設定されているか否かが判断される（Ｓ２１）。そこで、印刷の実行に用いられる印刷ドラムのいずれにも機密モードが設定されていない場合には、そのまま印刷動作が実行される（Ｓ２４）。
【００４１】
ここで、２色刷りの場合に行われる印刷動作について簡単に説明しておく。まず、インク供給ポンプにより第１および第２の印刷ドラム４１，５１の内側にインクが供給され、第１および第２の印刷ドラム４１，５１が回転駆動される。そして、第１および第２の印刷ドラム４１，５１の回転に同期して所定のタイミングにて印刷用紙Ｐ１が１次給紙ローラ２２によって給紙台２１から繰り出され、所定のタイミングで２次給紙ローラ２３により図１における左から右へ搬送され、第１の印刷ドラム４１と第１のプレスローラ４２との間に供給される。そして、第１の印刷ドラム４１の外周面に巻き付けられている製版済孔版原紙Ｍに対し、印刷用紙Ｐ１が第１のプレスローラ４２によって圧接されることにより印刷用紙Ｐ１に対して１色目の孔版印刷が行われる。
【００４２】
そして、第１の印刷ドラム４１が所定の角度だけ回転して印刷用紙Ｐ１への１版目の孔版印刷が終了すると、その１色印刷済印刷用紙Ｐ２は剥取爪４３により第１の印刷ドラム４１から剥ぎ取られ、その剥ぎ取られた１色印刷済印刷用紙Ｐ２は、搬送ベルト部４４によって第２の印刷部５０へ搬送され、所定のタイミングで第２の印刷ドラム５１と第２のプレスローラ５２との間に供給される。
【００４３】
そして、第２の印刷ドラム５１の外周面に巻き付けられている製版済孔版原紙Ｍに対し、１色印刷済印刷用紙Ｐ２の印刷面が第２のプレスローラ５２によって圧接されることにより１色印刷済印刷用紙Ｐ２の印刷面に対して２色目の孔版印刷が行われる。そして、第２の印刷ドラム５１が所定の角度だけ回転して１色印刷済印刷用紙Ｐ２の印刷面への２色目の孔版印刷が終了すると、その２色印刷済印刷用紙Ｐ３は剥取爪５３により第２の印刷ドラム５１から剥ぎ取られ、その剥ぎ取られた２色印刷済印刷用紙Ｐ３は、排紙送りベルト部７２により排紙台７１まで搬送され、排紙台７１に積載される。
【００４４】
一方、Ｓ２１のステップにおいて、印刷の実行に用いられる印刷ドラムのどれか(特定の印刷ドラム）に機密モードが設定されている場合には、パネル部１００に認証情報を入力可能な画面が表示され、その画面においてユーザからの認証情報の入力を受け付けることにより、印刷指示を出したユーザの認証情報が取得される。そして印刷制御部９２により、その受け付けたユーザの認証情報と上記特定の印刷ドラムに設けられているメモリに記録されている認証情報とが比較され、両認証情報が一致するか否かが判断される（Ｓ２２）。そこで印刷制御部９２は、両認証情報が一致すると判断した場合、そのまま上述したような印刷動作が実行する（Ｓ２４）。一方、印刷制御部９２が両認証情報が一致しないと判断した場合には、印刷制御部９２は上記パネル部１００により受け付けたユーザの認証情報と、予め登録されかつ記憶されている管理者の認証情報とをさらに比較し、両認証情報が一致するか否かがを判断する（Ｓ２３）。そこで印刷制御部９２により、両認証情報が一致すると判断された場合には、Ｓ２４に進み、印刷動作が実行されるが、一致しないと判断された場合には、印刷動作が実行されることなく（Ｓ２５）、処理が終了する。なお、認証情報の不一致により印刷動作を実行しない場合、一定時間が経過するまでは認証画面を表示したままにして認証情報の入力を可能にし、一定時間経過するまでに適切な認証情報の入力がされなかった場合には、認証画面の表示をやめて再度Ｓ２０に戻って印刷指示の有無の確認を行うようにしてもよい。
【００４５】
上記の構成により、上記実施形態の孔版印刷装置１によれば、機密モード設定部９１により特定の印刷ドラムに巻装されている製版済み孔版原紙に対して機密モードが設定された後であっても、印刷制御部９２が、その機密モードが設定された印刷ドラムによる印刷指示を受け付けると、パネル部１００により印刷指示を出したユーザの認証情報を受け付けて、予めその印刷ドラムに対応させて記録しておいた認証情報と比較し、両認証情報が一致していればその印刷ドラムによる印刷を許可するようにしているので、製版済み孔版原紙に対して機密モードが設定された後であっても、その製版済み孔版原紙の処分に権限を有するユーザであればその製版済み孔版原紙を用いて再度印刷を行うことが可能であり、機密情報を適切に保護しつつ、ユーザの利便性を向上させることができる。
【００４６】
また、その製版済み孔版原紙の処分に権限を有するユーザの認証情報を印刷ドラムに一体的に設けられた不揮発性メモリに記憶させているので、機密モードが設定された印刷ドラムを孔版印刷装置１の本体から抜き出し、別の孔版印刷装置の本体に挿入した場合であっても、その記録媒体に記録されている認証情報に基づいて、その印刷ドラムに巻装されている製版済み孔版原紙を用いた印刷を引き続き禁止することができ、機密情報を適切に保護することができる。また、機密モードが設定された印刷ドラムを機密モードが設定されていない他の印刷ドラムに取り換え、その孔版印刷装置１により印刷を行うことができ、ユーザの利便性を向上させることができる。
【００４７】
なお、上記実施形態では、孔版印刷装置１が２つの印刷ドラムを備えたものである場合について例示したが、１つまたは３つ以上の印刷ドラムを備えた孔版印刷装置においても同様に、製版済み孔版原紙が巻装された印刷ドラム毎に機密モードを設定するとともに、その機密設定指示を出したユーザの認証情報を記録しておき、その後、その機密モードが設定された印刷ドラムに対して印刷指示または機密解除指示を受け付けたときに、ユーザ認証を行い、認証が成功した場合にのみ印刷を許可するようにすることができる。
【００４８】
また、上記実施形態では、機密モード設定部９１が、機密モードを個々の印刷ドラムに対して設定、解除するものである場合について説明したが、装置全体に対して機密モードを設定、解除するものであってもよい。このとき、機密モード解除用の認証情報が個々の印刷ドラムに不揮発性メモリ等によって一体的に付帯されていない場合には、一部の印刷ドラムが孔版印刷装置１の本体から抜き出され、別の孔版印刷装置の本体に挿入され、不当に使用されてしまう場合が想定されるので、このような場合には、印刷ドラムが装置本体から取り外されることを禁止するために印刷ドラムをロックする機構を備えておくとよい。
【００４９】
このロック機構として、例えば、印刷ドラムに設けられた切りかき状の凹部と、孔版印刷装置１の本体側に設けられたソレノイドにより回動制御されるフックとを備え、そのフックが、制御部９０からソレノイドに対して制御信号を送出することにより、切りかき状の凹部と係合する位置と離間する位置とをとるものとし、フックと凹部とが係合した状態では、印刷ドラムが孔版印刷装置１本体から取り外せないように設計することができる。
【符号の説明】
【００５０】
１     孔版印刷装置
１０   画像読取部
２０   給紙部
３０   第１の製版部
３５   第２の製版部
４０   第１の印刷部
４１   第１の印刷ドラム
４２   第１のプレスローラ
４４   搬送ベルト部
４５   第１のメモリ
５０   第２の印刷部
５１   第２の印刷ドラム
５２   第２のプレスローラ
５５   第２のメモリ
７０   排紙部
８０   排版部
９０   制御部
９１   機密モード設定部
９２   印刷制御部
１００ パネル部
【図１】
2013010187.tif 000003
【図２】
2013010187.tif 000004
【図３】
2013010187.tif 000005
【図４】
2013010187.tif 000006
【図５】
2013010187.tif 000007